(57)【要約】      （修正有）【課題】外扉と本体キャビネットとの間の合せ面にバールなどを直接こじ入れることを確実に防止しつつ外扉を破壊する不正行為を抑制可能な自動販売機を提供する。【解決手段】外扉と本体キャビネットとの合せ面を外側から覆う上下方向に長尺の防盗板１００を備え、前記防盗板１００は外扉と本体キャビネットとの合せ面を外側から覆う庇部１０１と、この庇部１０１から延在する取付基部１０２に形成した複数のフック１０４を外扉の扉枠２ａの係合孔２ａａに係合してなる自動販売機において、前記防盗板１００の取付基部１０２に形成した複数のフック１０４のうちの一つを少なくとも外扉２の下端近傍位置に設けたことにより、外扉の破壊に対する強度アップを僅かな変更のみで実現できる。【選択図】図１
2010128738.tif 000002
【特許請求の範囲】
【請求項１】
本体キャビネットと、この本体キャビネットの前面にヒンジにより開閉自在に取付けられた外扉と、この外扉のヒンジとは反対側の扉側縁から本体キャビネット側に張り出して外扉と本体キャビネットとの合せ面を外側から覆う上下方向に長尺の防盗板を備え、前記防盗板は外扉と本体キャビネットの外箱との合せ面を外側から覆う庇部と、この庇部から延在する取付基部に形成した複数のフックを外扉の扉枠の係合孔に係合してなる自動販売機において、前記防盗板の取付基部に形成した複数のフックのうちの一つを少なくとも外扉の下端近傍位置に設けたことを特徴とする自動販売機。
【請求項２】
請求項１に記載の自動販売機において、防盗板の取付基部に形成した複数のフックは外扉の下部領域に集中して設けたことを特徴とする自動販売機。
【請求項３】
請求項１または請求項２に記載の自動販売機において、フックは取付基部と連接する内壁部が取付基部にまで回り込む円弧状に形成されていることを特徴とする自動販売機。
【発明の詳細な説明】
【技術分野】
【０００１】
この発明は、自動販売機における本体キャビネットの前面に開閉自在に配設された外扉を抉じ開けて機内から貨幣などを盗み出す盗難を抑制する自動販売機の防盗構造に関する。
【背景技術】
【０００２】
この種の自動販売機は本体キャビネットの前面に開閉自在な外扉を有し、この外扉には本体キャビネットの前面を閉塞するように閉じた状態で外扉をロックする外扉ロック装置が設けられ、通常時には外扉ロック装置により外扉が開かないようにロックしている。図２は一般的に良く知られている缶入り飲料などを販売する自動販売機の外扉開放状態の斜視図である。
図２に示すように、この自動販売機は、前面が開口した断熱筐体として形成された本体キャビネット１と、本体キャビネット１の前面にヒンジにより開閉可能に支持された外扉２とからなる。本体キャビネット１の開口面は開閉可能な断熱内扉３によって閉塞されて商品収納庫を画成している。本体キャビネット１の商品収納庫内は、不図示の断熱仕切壁により左右方向に複数の商品収納室に区分され、各商品収納室には缶入り飲料，瓶入り飲料，ペットボトル入り飲料などの商品を収容するとともにその下端に商品を搬出する商品払出機構を装備した商品収納ラックが収設され、また、商品収納ラックの下方に配設された商品搬出シュータの下部には当該各商品収納室を冷却もしくは加熱して商品収納ラックに収納した商品を冷却または加熱する冷却／加熱ユニットが配設されている。
【０００３】
前記外扉２の前面の上部域に開口した窓穴にはアクリル樹脂からなる透明パネル４が取付けられ、この透明パネル４と外扉２に片開き式に軸支されたディスプレイ扉６との間の空間がディスプレイ室５として形成されている。前記ディスプレイ扉６の前面には、本体キャビネット１の商品収納庫内に収容した商品に対応した複数の商品見本８を左右に一列に並べて載置したディスプレイ台７が上下方向に３段取付けられている。前記透明パネル４には各ディスプレイ台７と対峙する位置に商品選択ボタンユニット９が設けられ、当該商品選択ボタンユニット９は、ディスプレイ台７に載置された各商品見本８に対応して左右に一列に並べて設けた商品選択ボタン（不図示）を有している。また、前記外扉２の前面には不図示の硬貨投入口、紙幣挿入口、返却レバー、外扉ロック装置、硬貨返却口などに加えて商品取出口２１が設けられている。さらに、前記外扉２の背面には硬貨投入口に連通した硬貨処理装置２２、この硬貨処理装置２２に連通した金庫２３、紙幣挿入口に連通した紙幣識別装置２４などが設けられている。なお、ディスプレイ室５の上部およびディスプレイ台７の下部には商品見本８などを明るく照らす蛍光灯などの照明光源（不図示）が配設されている。また、前記ディスプレイ扉６にはラッチ金具６ａが取付けられ、このラッチ金具６ａを外扉２のラッチピン２ａに係合させることにより前記ディスプレイ扉６は外扉２に係止されるように構成されている。
【０００４】
このように構成された自動販売機においては外扉２を外扉ロック装置によりロックした状態で商品を冷却して販売するコールド運転モード若しくは商品を加熱して販売するホット運転モードに応じて冷却／加熱ユニットを運転して商品を販売適温に冷却／加熱する。そして、商品選択ボタンの操作に基づいて商品収納ラックから搬出された商品は商品搬出シュータ上に落下した後、当該商品搬出シュータ上を滑動ないしは転動して商品取出口２１に送出される。
【０００５】
かかる自動販売機における外扉２の扉ロック装置を図３に示す。図３は扉ロック装置の要部断面図であり、図３において、９は外扉２の前面に配設したポップアップ式ロック付きハンドル１０の後端に連結した釈放用レバー、１１は釈放用レバー９に連繋して外扉２に装備された上下可動式のスライダー、１２はスライダー１１に対向して本体キャビネット１の前端に設けたフック板、１３は外扉２と本体キャビネット１との合せ面を覆うように上下方向に長尺に形成された防盗板である。前記スライダー１１は外扉２に上下方向にスライド可能に支持されたＵチャンネル状の板金製の部材からなると共に釈放用レバー９およびフック板１２に対峙する壁面に前記釈放用レバー９およびフック板１２が嵌入する不図示の角穴が開口している。また、本体キャビネット１に固定されたフック板１２は前方に突き出した部分の上縁に不図示の凹溝が形成された厚板鋼板からなる。さらに、防盗板１３は図３に示すように、外扉２と本体キャビネット１との合せ面を覆うダブルホールドされた庇部１３１および、この庇部１３１から二股状に分岐した取付基部１３２，１３３を有し、一方の取付基部１３２の縁部には防盗板１３を４等分するように等間隔の３個のフック１３４が形成されている。この防盗板１３は一方の取付基部１３２に形成されたそれぞれのフック１３４を外扉２の扉枠２ａに形成した係合孔２ａａ（図３に仮想線で示す）に係合させ、他方の取付基部１３３をボルト１４により固着して取付けられている。なお、他方の取付基部１３３にはフック板１２が貫通する角孔（不図示）が形成されている（例えば、特許文献１参照）。
【０００６】
上記構成の扉ロック装置は外扉２を閉じた状態ではスライダー１１がフック板１２の凹溝に係合して外扉２を閉位置に鎖錠している。この状態から鍵を使って扉ロック装置のシリンダー錠を解錠したうえで、ハンドル１０を開位置に回すと釈放用レバー９が回動してスライダー１１を上方に引き上げる。これにより、スライダー１１とフック板１２との係合が外れて外扉２を自由に開くことができるようになる。また、外扉２を閉じた状態において防盗板１３は外扉２と本体キャビネット１との合せ面を覆って外扉２と本体キャビネット１との合せ面の隙間にバールなどを抉じ入れるのを防止している。
【０００７】
【特許文献１】特開２００７−７９８８３号公報
【発明の開示】
【発明が解決しようとする課題】
【０００８】
ところで、防盗板１３は自動販売機の側面（正面視右側側面）における外扉２と本体キャビネット１との合せ面を覆っているものの自動販売機の底面側における外扉２と本体キャビネット１との合せ面には隙間を有し、この隙間に工具を抉じ入れて外扉２に引っ掛けて外扉２を開放しようとする不正行為が行われた場合に次のような問題が発生する。すなわち、前述した不正行為によってフック板１２とスライダー１１との係合が破断する以前に防盗板１３に設けたフック１３４、特に下段のフック１３４を支点として梃子の原理により外扉２が捲り上がるように変形し、さらには防盗板１３のフック１３４が破断して外扉２の下部領域の背面には設置された金庫２３が露出してしまうというおそれがある。このため、自動販売機の底面側における外扉２と本体キャビネット１との合せ面には隙間を覆う防盗板を追加したり、外扉に補強金具を追加することが考えられるが、この場合には部品点数が増加することからコストが嵩むという問題を有する。
そこで、本発明は上記の点に鑑みなされたものであり、その目的は前記課題を解決し、僅かな変更のみによって外扉と本体キャビネットとの間の合せ面にバールなどを直接こじ入れることを確実に防止しつつ外扉を破壊する不正行為を抑制可能な自動販売機を提供することにある。
【課題を解決するための手段】
【０００９】
上記目的を達成するために請求項１に係る発明は、本体キャビネットと、この本体キャビネットの前面にヒンジにより開閉自在に取付けられた外扉と、この外扉のヒンジとは反対側の扉側縁から本体キャビネット側に張り出して外扉と本体キャビネットとの合せ面を外側から覆う上下方向に長尺の防盗板を備え、前記防盗板は外扉と本体キャビネットの外箱との合せ面を外側から覆う庇部と、この庇部から延在する取付基部に形成した複数のフックを外扉の扉枠の係合孔に係合してなる自動販売機において、前記防盗板の取付基部に形成した複数のフックのうちの一つを少なくとも外扉の下端近傍位置に設けたことを特徴とする。
【００１０】
また、上記目的を達成するために請求項２に係る発明は、請求項１に記載の自動販売機において、防盗板の取付基部に形成した複数のフックは外扉の下部領域に集中して設けたことを特徴とする。
【００１１】
また、上記目的を達成するために請求項３に係る発明は、請求項１または請求項２に記載の自動販売機において、フックは取付基部と連接する内壁部が取付基部にまで回り込む円弧状に形成されていることを特徴とする。
【発明の効果】
【００１２】
本発明の請求項１に係る自動販売機によれば、本体キャビネットと、この本体キャビネットの前面にヒンジにより開閉自在に取付けられた外扉と、この外扉のヒンジとは反対側の扉側縁から本体キャビネット側に張り出して外扉と本体キャビネットとの合せ面を外側から覆う上下方向に長尺の防盗板を備え、前記防盗板は外扉と本体キャビネットの外箱との合せ面を外側から覆う庇部と、この庇部から延在する取付基部に形成した複数のフックを外扉の扉枠の係合孔に係合してなる自動販売機において、前記防盗板の取付基部に形成した複数のフックのうちの一つを少なくとも外扉の下端近傍位置に設けたことにより、外扉の下端に工具を引っ掛けて開放しようとする不正行為が行われた場合にも、防盗板における外扉の下端近傍位置に設置されたフック（支点）から外扉に引っ掛けた工具の位置（力点）までの距離が短いので梃子の原理はほとんど働かない。したがって、外扉を破壊に対する強度アップを僅かな変更のみで実現できるという実用上優れた効果を有する。
【００１３】
また、上記目的を達成するために請求項２に係る発明は、請求項１に記載の自動販売機において、防盗板の取付基部に形成した複数のフックは外扉の下部領域に集中して設けたことにより、仮に防盗板の取付基部に形成したフックのうち、下段のフックが破断したとしても次の段のフックが外扉の破壊を防止するので不正行為の時間を長引かせることができ、延いては不正行為を諦めさせることが可能となる効果を有する。
【００１４】
また、上記目的を達成するために請求項３に係る発明は、請求項１または請求項２に記載の自動販売機において、フックは取付基部と連接する内壁部が取付基部にまで回り込む円弧状に形成されていることにより、フックの機械的強度を高めて不正行為を抑制することができるという効果を有する。
【発明を実施するための最良の形態】
【００１５】
以下、本発明における実施の形態である自動販売機を図面に基づいて説明する。
図１は本発明の実施の形態である自動販売機の主要部を示し、（ａ）は本体キャビネット，外扉および防盗板の分解側面図、（ｂ）は（ａ）における防盗板の取付基部に形成したフックの拡大図である。なお、自動販売機の全体構成および扉ロック装置の構成は図２および図３に示したものと同一であり、図２および図３に示すものと同一のものには同一の符号を付して重複する説明は省略する。
【００１６】
図１において、１００は従来と同様に鋼板の板金製品からなる防盗板である。この防盗板１００は、図２に示した外扉２と本体キャビネット１との合せ面を覆うダブルホールドされた庇部１０１および、この庇部１０１から二股状に分岐した取付基部１０２，１０３（取付基部１０３は図では庇部１０１および取付基部１０２に隠れて見えない）を有し、一方の取付基部１０２の縁部には６個のフック１０４が形成されている。この防盗板１００の一方の取付基部１０２に形成されたそれぞれのフック１０４を外扉２の扉枠２ａに形成した係合孔２ａａ（図１に仮想線で示す）に係合させて取付けられる。なお、他方の取付基部１０３をボルト１４（図３参照）により固着して取付け、また、他方の取付基部１０３にフック板１２が貫通する角孔（不図示）が形成されている点は従来装置と同一である。図１に示した実施の形態において従来と異なる点は防盗板１００の一方の取付基部１０２に形成されたフック１０４の位置およびその構造であり、次にその相違点について説明する。
【００１７】
防盗板１００の一方の取付基部１０２に形成されたフック１０４の位置は図３に示す従来の防盗板１３に対して外扉２の下部領域に集中して設けられており、この例では外扉２の下部領域に４個のフック１０４が設けられ、上部領域に２個のフック１０４が設けられている。そして、前記フック１０４のうち、最下段のフック１０４は外扉２の下端近傍位置に形成され、外扉２の下端から最下段のフック１０４までの距離が短くなる位置に設けられている。そして、前記フック１０４はプレス加工により取付基部１０２との間を切欠いて一体的に形成されるが、その切欠き１０５は図１の（ｂ）に示すようにフック１０４の根元部側が取付基部１０２にまで回り込む円弧状に切欠かれている。すなわち、フック１０４は取付基部１０２と連接する内壁部が取付基部１０２にまで回り込む円弧状に形成され、フック１０４の内壁部にかかる力を分散するように構成されている。なお、外扉２の扉枠２ａには図１に仮想線で示したように前記フック１０４に対応して６個の係合孔２ａａが形成されている。
【００１８】
かかる構成の防盗板１００を外扉２の所定位置に固着し、扉ロック装置により外扉２を閉位置に鎖錠した状態において自動販売機の底面側における外扉２と本体キャビネット１との合せ面に工具を抉じ入れて外扉２に引っ掛けて外扉２を開放しようとする不正行為が行われた場合、防盗板１００の取付基部１０２に形成された複数のフック１０４のうち、外扉２の下端近傍位置に形成されたフック１０４から外扉２に引っ掛けた工具の位置までの距離が短いので、外扉２の下端近傍位置に形成されたフック１０４を支点とし、外扉２に引っ掛けた工具の位置を力点とする梃子の原理はほとんど働かない。したがって、前記不正行為に対する外扉２の機械的強度が高くなり、不正行為により外扉２の下端領域を捲り上げるように変形させて外扉２の背面に設置された金庫２３を盗むという被害を防止することができる。
【００１９】
しかも、防盗板１００の取付基部１０２に形成されたフック１０４は取付基部１０２と連接する内壁部が取付基部１０２にまで回り込む円弧状に形成され、フック１０４の内壁部にかかる力を分散するように構成されていることから、図３に示した従来のフック１３４のように、四角形状の切欠きによりフック１３４が形成されている場合にはそのフック１３４の内壁部を形成する四角形の角部に力が集中して当該箇所から破断するものに比べてフック１０４の機械的強度を向上させることができる。また、仮に最下段のフック１０４が破断したとしてもフック１０４が外扉２の下部領域に集中して設けられていることによって外扉２の破壊を長引かせることができ、これにより不正行為を諦めさせる、つまり不正行為を抑制することが可能となる。
【００２０】
前述したとおり本発明によれば、本体キャビネット１と、この本体キャビネット１の前面にヒンジにより開閉自在に取付けられた外扉２と、この外扉２のヒンジとは反対側の扉側縁から本体キャビネット１側に張り出して外扉２と本体キャビネット１との合せ面を外側から覆う上下方向に長尺の防盗板１００を備え、前記防盗板１００は外扉２と本体キャビネット１との合せ面を外側から覆う庇部１０１と、この庇部１０１から延在する取付基部１０２に形成した複数のフック１０４を外扉２の扉枠２ａの係合孔２ａａに係合してなる自動販売機において、前記防盗板１００の取付基部１０２に形成した複数のフック１０４のうちの一つを少なくとも外扉２の下端近傍位置に設けたことにより、外扉２の下端に工具を引っ掛けて開放しようとする不正行為が行われた場合にも、防盗板１００における外扉の下端近傍位置に設置されたフック１０４（支点）から外扉２に引っ掛けた工具の位置（力点）までの距離が短いので梃子の原理はほとんど働かない。したがって、外扉２の破壊に対する強度アップを僅かな変更のみで実現できるとう実用上優れた効果を有する。
【図面の簡単な説明】
【００２１】
【図１】本発明の実施の形態である自動販売機の主要部を示し、（ａ）は本体キャビネット，外扉および防盗板の分解側面図、（ｂ）は（ａ）の防盗板に設けたフックの拡大図である。
【図２】本発明の実施対象の一例である自動販売機の全体構成を示す外扉開放状態の斜視図である。
【図３】従来の扉ロック装置の断面図である。
【符号の説明】
【００２２】
１    本体キャビネット
２    外扉
１００    防盗板
１０１    庇部
１０２、１０３    取付基部
１０４    フック
１０５    切欠き
【図１】
2010128738.tif 000003
【図２】
2010128738.tif 000004
【図３】
2010128738.tif 000005